【事件の表示】
　特願２００７−　６２３００「音声／データ送信と共に高速パケットデータ送信を多重化するための方法と装置」拒絶査定不服審判事件〔平成１９年１０月２５日出願公開、特開２００７−２８２２０３〕について、次のとおり審決する。
【結　論】
　本件審判の請求は、成り立たない。
【理　由】
１．手続の経緯と本願発明
　本願は、２００１年１１月７日（パリ条約による優先権主張・外国庁受理２０００年１１月９日　米国）を国際出願日として出願した特願２００２−５４１８０１号の一部を平成１９年３月１２日に新たな出願にしたものであって、平成２２年１１月１７日に拒絶査定がなされ、これに対し、平成２３年３月２４日に審判請求がなされたものであり、その特許請求の範囲の請求項８に係る発明（以下、「本願発明」という。）は、平成２３年３月２４日付け手続補正書により補正された明細書及び図面の記載からみて、その特許請求の範囲の請求項８に記載された以下のとおりのものと認める。
　
　「【請求項８】
　時分割多重（ＴＤＭ）送信のフレーム内の複数のタイプのトラヒックデータを受信するための方法であって、
　前記ＴＤＭ送信の送信間隔の第１の区画内で送信される非パケットトラヒックデータを備える第１のペイロードをデマルチプレクスすることと、なお、前記ＴＤＭ送信は前記送信間隔の第２の区画内で送信されるパケットトラヒックデータを備える第２のペイロードをさらに含み、各フレームは複数のスロットを含み、前記送信間隔は１つのスロットに対応する；
　第１の信号処理スキームに従って前記第１のペイロードを処理することと；
　前記送信間隔の前記第２の区画内で送信される前記第２のペイロードをデマルチプレクスすることと；
　第２の信号処理スキームに従って前記第２のペイロードを処理することと、なお、前記送信間隔の容量は、より短いチャネル化符号長のために、前記第１のペイロードによって要求される容量よりも大きい；
　を備えた方法。」
　
２．引用発明
（１）これに対して、原審の拒絶の理由に引用文献１として引用された国際公開第００／６２４５６号（以下、「引用例１」という。）には「APPARATUS AND METHOD FOR GATED TRANSMISSION IN A CDMA COMMUNICATION SYSTEM」（邦訳：ＣＤＭＡ通信システムの断続送信装置及び方法）として図面とともに以下の事項が記載されている。
　
　イ．「The invention will be described with reference to a UTRA (UMTS (Universal Mobile Telecommunications System) Terrestrial Radio Access) mobile communication system. Such a mobile communication system requires many states according to channel assignment circumstances and state information existence/nonexistence in order to provide a packet data service as well as a voice service. For example, a state transition diagram for a cell connected state, a user data active substate and a control-only substate are well defined in 3GPP RAN TS S2 series S2.03,99.04.」（２頁６行−１３行）
（邦訳）
「本発明においては、移動通信システムがＵＴＲＡ(ＵＭＴＳ(Universal Mobile Telecommunications System) Terrestrial Radio Access)システムである場合を例として説明する。このような移動通信システムでは音声のみならず、パケットのようなデータサービスを提供するためには、チャネルの割り当て状況や状態情報の有無に従って各種の状態が必要である。例えば、セル連結状態、使用者データ活性副状態及び制御維持副状態などに対する状態遷移度は、３ＧＰＰ ＲＡＮ ＴＳ Ｓ２ シリーズ(Ｓ２．０３，９９．０４)文書に詳細に記載されている。」
　
　ロ．「A downlink (or forward link) for transmitting signals from the base station to the mobile station includes the following physical channels. A description of the physical channels which depart from the scope of the invention will be avoided for simplicity. The physical channels involved in the invention include a dedicated physical control channel (hereinafter, referred to as DPCCH) in which pilot symbols are included for sync acquisition and channel estimation, and a dedicated physical data channel (hereinafter, referred to as DPDCH) for exchanging traffic data with a specific mobile station. The downlink DPDCH includes the traffic data, and the downlink DPCCH includes, at each slot (or power control group), transport format combination indicator (hereinafter, referred to as TFCI) which is information about the format of transmission data, transmit power control (hereinafter, referred to as TPC) information which is a power control command, and control information such as the pilot symbols for providing a reference phase so that a receiver (the base station or the mobile station) can compensate the phase. The DPDCH and the DPCCH are time multiplexed within one power control group in down link, and the DPDCH and the DPCCH are separated by orthogonal codes each other in up link.
　
　For reference, the invention will be described with reference to the case where the frame length is 10msec and each frame includes 16 power control groups, i.e., each power control group has a length of 0.625msec. Alternatively, the invention will also be described with reference to another case where the frame length is 10msec and each frame includes 15 power control groups, i.e., each power control group has a length of 0.667msec. It will be assumed herein that the power control group (0.625msec or 0.667msec) has the same time period as the slot (0.625msec or 0.667msec). The power control group (or slot) is comprised of pilot symbol, traffic data, transmission data-related information TFCI, and power control information TPC in down link. The values stated above are given by way of example only.」（３頁１１行−４頁３行）
（邦訳）
「基地局から移動局への順方向(Downlink)、または移動局から基地局への逆方向(Uplink)には次のような物理チャネルがある。下記の説明において、本発明の範囲を外れる他の物理チャネルに対する説明は省略するものとする。本発明の物理チャネルには、同期獲得及びチャネル推定のためのパイロットシンボルなどが含まれている専用制御チャネル(以下、ＤＰＣＣＨという。)と、特定移動局とトラヒックデータを通信する専用データチャネル(以下、ＤＰＤＣＨという。)などがある。前記順方向ＤＰＤＣＨはトラヒックデータからなり、順方向ＤＰＣＣＨは伝送データのフォーマットに係る情報(以下、ＴＦＣＩという。)、電力制御のための命令である電力制御情報(以下、ＴＰＣという。)、受信器(基地局、または移動局)が位相補償できるようにするための基準位相を提供するパイロットシンボルのような制御情報が一つのスロット(または、電力制御群)に含まれる。前記ＤＰＤＣＨ及びＤＰＣＣＨはダウンリンクでは一つの電力制御群内に時間的にマルチプレシングされ、アップリンクでは相異なる直交符号により分離される。
　
  参考的に、下記ではフレーム長さが１０msecであり、一つのフレーム内に電力制御群が１６個存在する場合、即ち、一つの電力制御群の長さが０．６２５msecである場合について説明する。また、フレームの長さが１０msecであり、一つのフレーム内に電力制御群が１５個存在する場合、即ち、電力制御群の長さが０．６６７msecである場合についても説明する。下記の説明において、電力制御群(０．６２５msec、または０．６６７msec)とスロット単位(０．６２５msec、または０．６６７msec)は同一時間間隔を有すると仮定する。前記電力制御群(またはスロット)はダウンリンクではパイロットシンボル、トラヒックデータ、伝送データのフォーマットに係る情報ＴＦＣＩ、電力制御情報ＴＰＣに構成される。前記値は本発明を説明するために選択された値だけであり、必須的な要素ではない。」
　
　ハ．「FIG. 2A shows a slot structure including the downlink DPDCH and DPCCH. In FIG 2A, although the DPDCH is divided into traffic data 1 (Datal) and traffic data 2 (Data2), there is a case where the traffic data 1 does not exist and only the traffic data 2 exists according to the types of the traffic data. Table 1 below shows the symbols constituting the downlink DPDCH/DPCCH fields, wherein the number of TFCI, TPC and pilot bits in each slot can vary according to a data rate and a spreading factor.」（４頁５行−１１行）
（邦訳）
「ＦＩＧ．２Ａは前記順方向ＤＰＤＣＨとＤＰＣＣＨを含むスロット構造図である。前記ＦＩＧ．２ＡでＤＰＤＣＨはトラヒックデータ１(DATA１)とトラヒックデータ２(DATA２)に区分されているが、トラヒックデータの種類に従ってトラヒックデータ１は存在しなく、トラヒックデータ２のみが存在することもある。下記の表１は、順方向ＤＰＤＣＨ／ＤＰＣＣＨフィールドを構成するシンボルに対する例を示したもので、データの伝送速度及び拡散係数などによって、一つのスロット内のＴＦＣＩ、ＴＰＣ、パイロットビットの個数が変わる場合もある。」
　
　ニ．「　
　　（［Table 2］， [Table 3] 略）
　
　Tables 1 to 3 show an example where there exists one DPDCH which is a traffic channel, wherein SF denotes spreading factor. However, there may exist second, third and fourth DPDCHs according to the service types. Further, the downlink and uplink both may include several DPDCHs.」（４頁２６行−５頁１３行）
（邦訳）
「（［表１］，［表２］，［表３］略）
　
  前記表１、表２及び表３はトラヒックチャネルであるＤＰＤＣＨが一つである場合を示したものであり、サービス種類に従って第２、第３、第４ＤＰＤＣＨが存在することができ、順方向及び逆方向に関わりなく多数のＤＰＤＣＨが存在することができる。ここで、ＳＦは拡散係数を示す。」
　
　ホ．「An exemplary hardware structure of the conventional mobile communication system (base station transmitter and mobile station transmitter) will be described below with reference to FIGS. 3A and 3B. Although the base station transmitter and mobile station transmitter will be described with reference to a case where there exist three DPDCHs, the number of DPDCHs is not limited. 
　
　FIG. 3A shows a structure of the conventional base station transmitter. Referring to FIG. 3A, multipliers 111, 121, 131 and 132 multiply a DPDCH signal and DPDCH1, DPDCH2 and DPDCH3 signals, which have undergone channel encoding and interleaving, by gain coefficients G1, G2, G3 and G4, respectively. The gain coefficients G1, G2, G3 and G4 may have different values according to circumstances such as the service option and the handover. A multiplexer (MUX) 112 time-multiplexes the DPCCH signal and the DPDCH, signal into the slot structure of FIG. 2A. A first serial-to-parallel (S/P) converter 113 distributes the output of the multiplexer 112 to an I channel and a Q channel. Second and third S/P converters 133 and 134 S/P-convert the DPDCH2 and DPDCH3 signals and distribute them to the I channel and the Q channel, respectively. The S/P-converted I and Q channel signals are multiplied by channelization codes Cchl, Cch2 and Cch3 in multipliers 114, 122, 135, 136, 137 and 138, for spreading and channel separation. Orthogonal codes are used for the channelization codes.
　
　The I and Q channel signals multiplied by the channelization codes in the multipliers 114, 122, 135, 136, 137 and 138 are summed by first and second summers 115 and 123, respectively. That is, the I channel signals are summed by the first summer 115, and the Q channel signals are summed by the second summer 123. The output of the second summer 123 is phase shifted by 90° by a phase shifter 124. A summer 116 sums an output of the first summer 115 and an output of the phase shifter 124 to generate a complex signal I+jQ. A multiplier 117 scrambles the complex signal with a PN sequence Cscramb which is uniquely assigned to each base station, and a signal separator 118 separates the scrambled signal into a real part and an imaginary part and distributes them to the I channel and the Q channel. The I and Q channel outputs of the signal separator 118 are filtered by lowpass filters 119 and 125, respectively, to generate bandwidth-limited signals. The output signals of the filters 119 and 125 are multiplied by carriers cos{2πfct} and sin{2πfct} in multipliers 120 and 126, respectively, to frequency shift the signals to a radio frequency (RF) band. A summer 127 sums the frequency-shifted I and Q channel signals.」（５頁１５行−６頁３２行）
（邦訳）
「従来の移動通信システム(基地局送信器及び移動局送信器)のハードウェア構成図をＦＩＧ．３Ａ及び３Ｂを参照して説明すると、次のようである。以下、本発明の基地局送信器及び移動局送信器の説明において、トラヒックチャネルであるＤＰＤＣＨが３個存在する場合を例として説明するが、前記ＤＰＤＣＨの個数は少なくとも１個以上であり、個数に制限されない。
　
  ＦＩＧ．３Ａは従来の基地局送信器の構成を示している。前記ＦＩＧ．３Ａを参照すると、乗算器１１１，１２１，１３１，１３２は、チャネル符号化及びインタリービングを遂行したＤＰＣＣＨ信号及びＤＰＤＣＨ1、ＤＰＤＣＨ2、ＤＰＤＣＨ3信号のそれぞれに利得係数Ｇ1，Ｇ2，Ｇ3，Ｇ4をかけるための装置である。前記利得係数Ｇ1，Ｇ2，Ｇ3，Ｇ4はサービスの種類やハンドオーバ状況などのように、状況によってそれぞれ異なる値を有することもできる。マルチプレクサ(ＭＵＸ)１１２は、ＤＰＣＣＨ信号とＤＰＤＣＨ1信号を時間的にマルチプレクシングして、前記ＦＩＧ．２Ａのようなスロット構造を有するようにする。第１直並列（Ｓ／Ｐ）変換器１１３は、前記マルチプレクサ１１２の出力をＩチャネルとＱチャネルに分配するための装置である。第２Ｓ／Ｐ１３３及び第３Ｓ／Ｐ１３４はＤＰＤＣＨ2及びＤＰＤＣＨ3を直並列変換してＩチャネルとＱチャネルに分配するための装置である。前記直並列変換されたＩチャネル及びＱチャネル信号は、乗算器１１４，１２２，１３５，１３６，１３７，１３８で前記信号を拡散及びチャネル区分するためにチャネライゼーション符号Ｃch1、Ｃch2、Ｃch3とかけられる。前記チャネライゼーション符号には直交符号が用いられる。
　
  前記乗算器１１４，１２２，１３５，１３６，１３７，１３８でチャネライザーション符号とかけられたＩチャネル及びＱチャネル信号出力は、それぞれ第１合算器１１５と第２合算器１２３で合算される。Ｉチャネル信号は第１合算器１１５で合算され、Ｑチャネル信号は第２合算器１２３により合算される。前記第２合算器１２３の出力は位相遷移器１２４により９０°位相遷移される。合算器１１６は第１合算器１１５の出力と位相遷移器１２４の出力を合算して複素信号Ｉ＋ｊＱ信号を生成する。乗算器１１７は前記複素信号を基地局別に割り当てられたＰＮシーケンスＣscrambによりスクランブリングし、信号分離器１１８は前記スクランブリングされた信号を実数部分と虚数部分に分離し、Ｉチャネル及びＱチャネルに分配する。前記信号分離器１１８の出力はＩチャネル及びＱチャネル別に低域ろ波器１１９と１２５を通過して、帯域幅が制限された信号が生成される。前記ろ波器１１９，１２５の出力信号は乗算器１２０と１２６でそれぞれ搬送波cos{2πfct}，sin{2πfct}とかけられて高周波帯域に遷移され、合算器１２７は前記高周波帯域に遷移されたＩチャネルとＱチャネルの信号を合わせて出力する。」
　
　上記イ．〜ホ．の記載及び図面ならびにこの分野における技術常識を考慮すると、
　上記イ．によれば、引用例１には、音声及びパケットのようなデータサービスを提供する移動通信システムについて記載されている。
　上記ロ．によれば、フレームは複数（１５個）の電力制御群としてのスロットから構成されている。ここで、スロットを用いた通信が行われていることから、技術常識より、引用例１では時分割多重送信による送受信が行われているものといえる。
　上記ハ．及びＦＩＧ．２Ａによれば、１個のスロットにはトラヒックデータ１（ＤＡＴＡ１）とトラヒックデータ２（ＤＡＴＡ２）が存在しており、「・・・トラヒックデータの種類に従ってトラヒックデータ１は存在しなく、トラヒックデータ２のみが存在することもある。」の記載から、トラヒックデータ１とトラヒックデータ２には、それぞれ別の種類のトラヒックデータ（第１の種類のトラヒックデータと第２の種類のトラヒックデータ）が含まれることが開示されているといえる。
　そして、上記イ．〜ハ．によれば、引用例１では、ＦＩＧ．２Ａに示されるスロットによる時分割多重送信が、基地局の送信器から移動局の受信器に対して行われている。
　また、上記ニ．の[Table 1]には、拡散係数ＳＦの長さに応じた『Channel Bit Rate』の値と『Bits/Slot』の値（すなわちスロットの容量）と『DPDCH Bits/Slot』における『Ndata1』の値（すなわちスロットのトラヒックデータ１で送信される第１の種類のトラヒックデータの容量）との関係が示されている。この[Table 1]から、引用例１では、スロットの容量が前記トラヒックデータ１によって要求される容量よりも大きくなるように、より短い拡散係数の符号長を選択することができることを開示しているものといえる。
　
　したがって、移動局の受信器側から捉えれば、上記引用例１には以下の発明（以下、「引用発明１」という。）が開示されている。
　
　「時分割多重送信のフレーム内の音声やパケットデータ等の複数の種類のトラヒックデータを受信するための方法であって、
　前記時分割多重送信のスロットのトラヒックデータ１内で送信される第１の種類のトラヒックデータを受信すること、なお、前記時分割多重送信は前記スロットのトラヒックデータ２で送信される第２の種類のトラヒックデータをさらに含み、
各フレームは複数のスロットを含み、
　前記スロットの前記トラヒックデータ２で送信される前記第２の種類のトラヒックデータを受信することと；
　なお、前記スロットの容量は、より短い拡散係数の符号長のために、前記トラヒックデータ１によって要求される容量よりも大きい；
　を備えた方法。」
　
（２）また、原審の拒絶の理由に引用文献２として引用された特開平１０−１９０６２１号公報（以下、「引用例２」という。）には、「無線資源制御方法」として図面とともに以下の事項が記載されている。
　
　ヘ．「【０００４】図１は、固定基地局サブシステム１２（ＢＳＳ）を備えたＵＭＴＳシステムの例示のセル１１を示しており、その範囲の中で幾つかの異なった移動局１３がユーザと共に存在あるいは移動する。基地局サブシステムは、一つの或いはいくつかの基地局、および、それらの動作を制御する基地局制御装置を含んでもよい。基地局サブシステムと移動局の中間に、所定の無線周波数範囲が確保され、動作がシステムの仕様によって制御される無線接続がある。無線接続のために利用することができる時間と周波数範囲は、共にいわゆる物理的な無線資源を規定する。基地局サブシステムの最も大きい課題の一つは、セルのサービスエリアに置かれた全ての端末が、いつでも要求された品質のデータ送信サービスを受けることが可能であるように、そして、隣接しているセルの互いの干渉をできるだけ小さくなるように、これらの物理的な無線資源の使用を制御することである。
【０００５】先行技術のシステムから、無線資源を共有するためのいくつかの方法が知られている。時分割多重アクセス（ＴＤＭＡ）においては、使用された送信および受信の周波数帯域がタイムスロットに分割され、それらの間で、基地局サブシステムが、一つあるいはいくつかの周期的に繰り返されるタイムスロットを所定の端末の使用に割り当てる。
　（後略）　」（６頁１０欄〜７頁１１欄、段落【０００４】〜【０００５】）
　
　ト．「【００２２】
【発明の実施の形態】図２は、本発明の好適な実施態様による二次元フレーム１４を示す。前述の説明においては、フレームの第１の次元は時間であり、第２の次元は、時間、周波数、あるいは、コードのいずれかであるように維持されていた。図２ａの場合においては、フレーム１４の第２の次元は、周波数あるいは時間である。両方の次元の方向のフレームのサイズは、システムに関して設定された他の仕様と互換性があるように選択されなければならない。この例においては、時間方向のフレームの長さは約４．６１５ミリ秒であり、これは時間方向に８個のタイムスロットに分割され、この場合には、一つのタイムスロット１５の長さは約０．５７７ｍｓである。周波数方向のフレーム幅は、約２ＭＨｚである。
【００２３】フレームの最も小さい均一な構造素子、すなわち、スロットは、タイムスロット１５の種々の下位区分である。図２の左下部分においては、時間−周波数分割が適用され、この場合には、各々のスロットの経時方向の長さはタイムスロットのものと同じであるが、周波数方向のその幅は、２００ｋＨｚ、１ＭＨｚ、あるいは、２ＭＨｚとすることができる。参照番号１６は、大きな０．５７７ｍｓ×２ＭＨｚのスロットを示し、参照番号１７は、中間サイズの０．５７７ｍｓ×１ＭＨｚのスロットを示し、参照番号１８は、小さな０．５７７ｍｓ×２００ｋＨｚのスロットを示す。図の右下部分においては、時間−時間分割が適用され、この場合には、各々のスロットは、システムの２ＭＨｚの帯域幅の全部を使用するが、その経時方向の期間は、タイムスロットの長さの１／１、１／２、あるいは、１／１０とすることができる。参照番号１６は、ここでも大きな０．５７７ｍｓ×２ＭＨｚのスロットを示し，参照番号１７は、中間サイズの０．２８８５ｍｓ×２ＭＨｚのスロットを示し、参照番号１８は、小さな０．０５７７ｍｓ×２ＭＨｚのスロットを示す。五つの小さなスロットが一つの中間サイズのスロット（分割例の列Ｃ：）を備えたタイムスロットを共有するこれらの分割においては、代わりに、鏡像（たとえば、一つの中間サイズのスロットで始まり五つの小さなスロットで終わるタイムスロット）を表すことも勿論可能である。」（第８頁１４欄〜第９頁１５欄、段落【００２２】〜【００２３】）
　
　チ．「【００２９】図４は、本発明の好適な実施態様による超フレームを示す。本発明が超フレームに含まれる連続的なフレームの数を制限しないことは既に指摘されたが、有利な数は２の累乗である。最も短い場合には、超フレームは唯一つのフレームから成ることがある。図４の場合においては、超フレーム１９は、四つの経時方向に連続するフレーム１４を含む。ここでは、第１のフレームの数が負でない整数を表す文字Ｎによって記述され、次のフレームはＮ＋１、次はＮ＋２、超フレームの最後のフレームの数はＮ＋３となるように、フレームは連続する数を有する。フレームのタイムスロットも、各々のフレームの最初のタイムスロットが数０であり、最後のスロットが数７となるように、同様に連続する負でない整数で番号が付けられる。また図面は、例として、スロットをペイロードスロットとデータスロットに分割することを図示している。ペイロード情報、すなわち、送信可能なデータ本体を含むスロットは、文字Ｉ（情報）で印が付けられており、制御データ、すなわち、信号を送るデータは、文字Ｃ（制御）で印が付けられている。」（１０頁１７欄段落【００２９】）
　
　リ．「【００３２】或る基地局が、周囲の基地局の確保テーブルも考慮に入れる場合には、電力レベルおよび接続の切り換え型式に従って、それ自身のテーブルの中にスロットを割り当てる。前者は、高出力レベルおよび低出力レベルを適用する移動局が、システムの全体の干渉に対して最適な位置に、隣接する基地局の確保テーブル内に配置されたそれら自身の割り当てられたスロットを有することを意味する。後者は、回路切り換え型接続およびパケット交換型接続が、システムの全体の干渉に対して最適な位置に、隣接する基地局の確保テーブル内に配置されたそれら自身のスロットを有することを意味する。最適条件は、全てのユーザが他のユーザの雑音信号からの影響をできるだけ受けないように規定される。スロットが、たとえば、出力レベルに従って割り当てられる場合には、第１の基地局は低電力ユーザ（第１の基地局の近くに位置する）にそのようなスロットを許可し、その期間に、第２の基地局では、高電力ユーザ（第２の基地局から遠くに位置する）が存在する。」（第１０頁１８欄、段落【００３２】）
　
　上記ヘ．〜リ．の記載及び図面ならびにこの分野における技術常識を考慮すると、
　上記へ．によれば、基地局と移動局との間で時分割多重アクセス（ＴＤＭＡ）による送信及び受信が行われている。ここで、時分割多重アクセス（ＴＤＭＡ）が時分割多重送信に含まれることは技術常識である。
　上記ト．及び【図２】によれば、フレームは複数のタイムスロットに分割され、さらに前記タイムスロットは時間−時間分割が適用されるときに、複数のスロットに分割されている。また、上記リ．及び【図４】によれば、送信可能なデータ本体であるペイロード情報や制御データがスロットに割り当てられている。
　そして、上記リ．によれば、システム全体の干渉に対して最適な位置となるように、回路切り換え型接続によるデータとパケット交換型接続によるデータが各スロットに割り当てられることが記載されている。
　
　したがって、受信器側から捉えれば、上記引用例２には以下の発明（以下、「引用発明２」という。）が開示されている。
　
　「時分割多重送信のフレーム内の複数の種類のデータを受信するための方法であって、
　各フレームは複数のタイムスロットを含み、
　前記ＴＤＭ送信のタイムスロットの第１のスロットに送信される回線切り換え型接続のデータを備えるペイロード情報と、前記タイムスロットの第２のスロットに送信されるパケット交換型接続のデータを備えるペイロード情報がシステム全体の干渉に対し最適な位置となるように割り当てられている方法」
　
３．対比
　本願発明と引用発明１とを対比すると、
　引用発明１の「時分割多重送信」は、本願発明の「時分割多重（ＴＤＭ）送信」、「ＴＤＭ送信」に相当する。
　引用発明１の「音声やパケットデータ等の複数の種類のトラヒックデータ」は、本願発明の「複数のタイプのトラヒックデータ」に相当する。
　引用発明１の「スロット」は、本願発明の「スロット」に相当することは明らかであるから、本願発明で１つのスロットに対応するとされている「送信間隔」にも相当する。
　引用発明１の「トラヒックデータ１」及び「トラヒックデータ２」は、スロット内でそれぞれ１つの区画を構成するものであるから、本願発明の「第１の区画」及び「第２の区画」に相当する。
　引用発明１の「第１の種類のトラヒックデータ」、「第２の種類のトラヒックデータ」はそれぞれＤＰＤＣＨ（専用データチャネル）のデータであるから『データ本体』であって技術常識から『ペイロード』といえるので、本願発明の「非パケットトラヒックデータを備える第１のペイロード」、「パケットトラヒックデータを備える第２のペイロード」とそれぞれ「第１の特定のペイロード」、「第２の特定のペイロード」である点で共通する。
　引用発明１では、「第１の種類のトラヒックデータを受信すること」、「第２の種類のトラヒックデータを受信すること」のみが開示され、受信した各トラヒックデータをどのように受信処理するのか開示がないが、それぞれ本願発明と「第１の特定のペイロードを受信すること」、「第２の特定のペイロードを受信すること」で共通する。
　
　したがって、本願発明と引用発明１は、以下の点で一致ないし相違している。
　
（一致点）
　「時分割多重（ＴＤＭ）送信のフレーム内の複数のタイプのトラヒックデータを受信するための方法であって、
　前記ＴＤＭ送信の送信間隔の第１の区画内で送信される第１の特定のペイロードを受信することと、なお、前記ＴＤＭ送信は前記送信間隔の第２の区画内で送信される第２の特定のペイロードをさらに含み、各フレームは複数のスロットを含み、前記送信間隔は１つのスロットに対応する；
　前記送信間隔の前記第２の区画内で送信される前記第２の特定のペイロードを受信することと；
　なお、前記送信間隔の容量は、より短いチャネル化符号長のために、前記第１の特定のペイロードによって要求される容量よりも大きい；
　を備えた方法。」
　
（相違点）
（１）「第１の特定のペイロード」、「第２の特定のペイロード」に関し、本願発明では、それぞれ「非パケットトラヒックデータを備える第１のペイロード」、「パケットトラヒックデータを備える第２のペイロード」であるのに対し、引用発明１ではそれぞれ「第１の種類のトラヒックデータ」、「第２の種類のトラヒックデータ」である点。
（２）「第１の特定のペイロードを受信すること」、「第２の特定のペイロードを受信すること」に関し、本願発明では、それぞれ「デマルチプレクス」して、「第１の信号処理スキームに従って前記第１のペイロードを処理」し、「第２の信号処理スキームに従って前記第２のペイロードを処理」しているのに対し、引用発明１では「第１の種類のトラヒックデータ」、「第２の種類のトラヒックデータ」をそれぞれ受信しているのみである点。
　
４．当審の判断
　まず、上記相違点（１）について検討する。
　上記「２．引用発明」の（２）に記載したように、引用例２には下記の引用発明２が記載されている。
　「時分割多重送信のフレーム内の複数の種類のデータを受信するための方法であって、
　各フレームは複数のタイムスロットを含み、
　前記ＴＤＭ送信のタイムスロットの第１のスロットに送信される回線切り換え型接続のデータを備えるペイロード情報と、前記タイムスロットの第２のスロットに送信されるパケット交換型接続のデータを備えるペイロード情報がシステム全体の干渉に対し最適な位置となるように割り当てられている方法」
　ここで、引用発明２の「タイムスロット」は引用発明１の「スロット」に相当する。また、引用発明２の「スロット」が上記「タイムスロット」内の部分領域であり、引用発明１の「トラヒックデータ１」、「トラヒックデータ２」が引用発明１の「スロット」内の部分領域であることから、引用発明２の「スロット」は引用発明１の「トラヒックデータ１」、「トラヒックデータ２」に相当する。また、技術常識から、引用発明２の「回線切り換え型接続のデータ」は音声データ等の非パケットトラヒックデータであり、引用発明２の「パケット交換型接続のデータ」はパケットトラヒックデータである。
　引用発明１では、音声やパケットデータ等の複数の種類のトラヒックデータを受信していることから、当業者であれば、引用発明２を引用発明１に適用して、引用発明１の「第１の種類のトラヒックデータ」、「第２の種類のトラヒックデータ」を、それぞれ「非パケットトラヒックデータを備える第１のペイロード」、「パケットトラヒックデータを備える第２のペイロード」とすることを容易に為し得るものである。
　よって、相違点（１）は格別なものでない。
　
　ついで、上記相違点（２）について検討する。
　上記「２．引用発明」の（１）の引用例１の摘記事項ホ．における「マルチプレクサ(ＭＵＸ)１１２は、ＤＰＣＣＨ信号とＤＰＤＣＨ1信号を時間的にマルチプレクシングして、前記ＦＩＧ．２Ａのようなスロット構造を有するようにする。」の記載及びＦＩＧ．３Ａの記載によれば、ＦＩＧ．２Ａのようなスロット構造で送信するために、送信器ではマルチプレクサー（ＭＵＸ）１１２が用いられることが記載されている。ここで、摘記事項ハ．に記載されるように、ＤＰＤＣＨがトラフヒックデータの種類に応じてトラヒックデータ１(DATA１)とトラヒックデータ２(DATA２)に区分される場合であれば、トラヒックデータ１(DATA１)によるＤＰＤＣＨとトラヒックデータ２(DATA２)によるＤＰＤＣＨとＴＦＣＩ等のＤＰＣＣＨをマルチプレクサに入力し時間的にマルチプレクシングしてＦＩＧ．２Ａのようなスロット構造で送信することとなる。
　このように、引用例１には、ＦＩＧ．２Ａのようなスロット構造で送信するため送信器において『マルチプレクサ』が行われることが開示されているが、受信器における処理については記載がない。
　しかしながら、受信器において送信器の逆の処理を行うことは技術常識であるから、送信器における『マルチプレクサ』の逆の処理である『デマルチプレクサ』を受信器において行うことは当業者にとって容易に想到し得る程度のことにすぎない。
　そして、『デマルチプレクサ』されて得られる「第１の種類のトラヒックデータ」、「第２の種類のトラヒックデータ」を、上記相違点（１）で検討したとおり、それぞれ「非パケットトラヒックデータを備える第１のペイロード」、「パケットトラヒックデータを備える第２のペイロード」とすることが当業者に容易に為し得ることであることから、それぞれのデータの種類、すなわち「非パケットトラヒックデータ」と「パケットトラヒックデータ」に適合した信号処理スキームに従ってそれぞれの「ペイロード」を処理することは受信器における自明の処理にすぎない。
　したがって、当業者であれば、「第１のペイロードをデマルチプレクス」して「第１の信号処理スキームに従って前記第１のペイロードを処理」すること、及び、「第２のペイロードをデマルチプレクス」して「第２の信号処理スキームに従って前記第２のペイロードを処理」することは、いずれも容易に為し得ることである。
　よって、相違点（２）も格別なものでない。
　
　そして、本願発明の作用効果は、引用発明１及び引用発明２から当業者が予測し得る範囲のものである。
　
５．むすび
　以上のとおり、本願発明は、上記引用発明１及び引用発明２に基いて、当業者が容易に発明をすることができたものであるから、特許法第２９条第２項の規定により特許を受けることができない。
　
　よって、結論のとおり審決する。